(57)【要約】【課題】  振動検出用のB.P.Fを用いて、偏心ディスクと偏心ディスク以外のディスクを判別し、偏心ディスクと判別した場合は、サーボゲインを高めに設定し、２モータでも、３モータと同様の再生能力を達成することを目的としている。【解決手段】  再生するディスク毎に、耐震検出用のB.P.Fのカットオフ周波数を偏心検出用に変更し、偏心ディスクか否かを判別する。判別した結果、偏心ディスクであれば、サーボゲインを偏心ディスク用のゲインに変更し、これまで、安価な２モータ光ディスク装置にて困難であったスクラッチディスクと偏心ディスクの再生能力を向上させる機能を備える。【選択図】  図１
2007073096.tif 000002
【特許請求の範囲】
【請求項１】
光ディスク装置において偏心ディスクを検出する方法であって、
耐震検出用フィルタを用い、当該フィルタを光ディスクの偏心検出用周波数に設定して、光ディスクの偏心周波数を検知し、
前記偏心周波数を検知した場合に、サーボフィルタの定数を偏心ディスク用に変更する、
ことを特徴とする偏心ディスク検出方法。
【請求項２】
前記光ディスクの偏心検出用周波数を、光ディスクの回転数に合わせる、ことを特徴とする請求項１に記載の偏心ディスク検出方法。
【請求項３】
光ディスク装置において偏心ディスクを検出する方法であって、
振動を検知するＦＥ信号もしくはＴＥ信号の振幅ゲインを調整し、光ディスクやピックアップによるばらつき差分を減らした状態で、
耐震検出用フィルタを用い、当該フィルタを光ディスクの偏心検出用周波数に設定して、光ディスクの偏心周波数を検知し、
前記偏心周波数を検知した場合に、サーボフィルタの定数を偏心ディスク用に変更する、
ことを特徴とする偏心ディスク検出方法。
【請求項４】
偏心周波数の検知をTOC読み込み時に実施し、規定回数以上偏心周波数の検知した場合に、サーボフィルタの定数を偏心ディスク用に変更する、ことを特徴とする請求項１に記載の偏心ディスク検出方法。
【請求項５】
TOC読み込み時間を測定するとともに、TOC読み込みを実施している間に何回の偏心周波数を検知したかをカウントし、読み込み時間÷偏心周波数検知回数の式より、偏心周波数検知時の周波数を算出し、当該算出した周波数が、光ディスクの偏心周波数とほぼ同じ値をとる場合、サーボフィルタの定数を偏心ディスク用に変更する、ことを特徴とする請求項４に記載の偏心ディスク検出方法。
【請求項６】
ディスクトレイにて保持した光ディスクを回転させるスピンドルモータと、
回転している光ディスクのデータを記録及び／又は再生するピックアップと、
前記ディスクトレイを光ディスク装置本体の内外にローディング／アンローディングさせるローディングモータと、光ディスクの径方向に沿って前記ピックアップを移動させるスレッドモータとを兼用するスレッド兼ローディングモータと、
光ディスクの偏心周波数を検知する振動/偏心検出用B.P.Fと、サーボフィルタとからなるサーボ制御部と、
前記サーボ制御部からの信号に基づき前記ピックアップを光ディスクの目標ポイントまで移動させるドライバと、
これら各部を制御する制御部と、
を備えた光ディスク装置。
【発明の詳細な説明】
【技術分野】
【０００１】
本発明は、ＣＤ(Compact Disc:商標名)プレーヤ，ＤＶＤ(Digital Versatile Disk:商標名)プレーヤ等の光ディスク装置において、スクラッチディスクの再生能力を損なうことなく、偏心ディスクの再生能力を向上させるための偏心ディスク検出方法に関するものである。
【背景技術】
【０００２】
近年、ＣＤプレーヤ等の光ディスク装置において、光ディスクの再生能力を向上させることが、他社の製品との差別化を図る上で重要な項目となっている。一般的に、スクラッチディスク、偏心ディスクの２項目が、光ディスクの再生能力を規定するのに重要な要素となる。
【０００３】
スクラッチディスクとは、表面に傷がついている光ディスクをいう。長い傷でも問題なく再生できるＣＤプレーヤほど性能がよいとされる。また、偏心ディスクとは、中心がずれている光ディスクをいう。
【０００４】
スクラッチディスクの再生性能を向上させるためには、サーボゲインを下げ、偏心ディスクの再生能力を向上させるためには、サーボゲインを上げるとよい。このように、サーボゲインを上げ下げすることで、スクラッチディスクと偏心ディスクの再生性能を調整することが可能となるが、スクラッチディスクと偏心ディスクのうち、一方の再生性能の向上を図ると、他方の性能が低下するという関係にあり、その調整は困難なものである。
【０００５】
図６は、従来の光ディスク装置を示すブロック図である。図６において、６１は光ディスク、６２はスピンドルモータ、６３はピックアップ、６４はヘッドアンプ、６５はサーボ制御チップ、６６はサーボフィルタ、６７は振動検出用B.P.F、６８はＴＥ信号、６９はドライバ、７０はコントロールマイコンである。
【０００６】
スピンドルモータ６２は、光ディスク６１を回転させ、ピックアップ６３は、光ディスク６１からの信号を読み取り、ヘッドアンプ６４は、ピックアップ６３からの信号を増幅する。ＴＥ信号６８は、ヘッドアンプ６４で生成されるピックアップ６３の位置ずれ情報である。サーボ制御チップ６５は、ヘッドアンプ６４からのＴＥ信号６８によりサーボ制御の演算を実施する。サーボフィルタ６６は、サーボ制御チップ６５内でＴＥ信号６８をもとに、サーボの演算を実施する。振動検出用B.P.F ６７は、サーボ制御チップ６５内でＴＥ信号６８をもとに、振動検出を実施する。ドライバ６９は、サーボ制御チップ６５からの信号を増幅し、ピックアップ６３を光ディスク６１の目標ポイントまでドライブする。コントロールマイコン７０は、上記の各部を制御するものである。
【０００７】
次に、光ディスク装置において、振動検出の方法を説明する。
【０００８】
以前には、外部にB.P.F（バウンドパスフィルタ：ローパスフィルタとハイパスフィルタを組み合わせ、一定の周波数の信号のみを検出するフィルタ）を抵抗、容量で構成し、外部からの振動が加えられた場合、Tr（トラッキング）エラー信号に重畳される信号から振動検出を実施していた。振動検出を実施した際、Trサーボが外れる可能性があるためサーボのゲインアップを実施し、Trサーボが外れないような制御を実施している。なお、上記Trサーボが外れるとは、Trサーボが維持できないことであり、具体的には、レーザスポットが、ピットに沿って追従できず、データの取得が途切れ、音とび等の不具合につながることになる。
【０００９】
近年では、図６に示したように、セット全体のローコストを図るため、振動検出用B.P.F ６７をサーボ制御チップ６５に内蔵させ、外付けの抵抗、容量を削減している。このとき、顧客ごとに、B.P.Fのカットオフ周波数を変更できる機能が必要なため、サーボ制御チップ６５では、内蔵した振動検出用B.P.F ６７のカットオフ周波数を変更することが可能となっている。
【００１０】
ところで、近年、車載用のＣＤプレーヤ等において、さらなるコストダウンを図るため、従来では、スピンドルモータ、スレッドモータ、ローディングモータといった３つのモータを搭載した光ディスク装置（以下、３モータ光ディスク装置と称する）が主流であったが、スレッドモータとローディングモータをギアで切り換えて使用することで、２つのモータのみを搭載した光ディスク装置（以下、２モータ光ディスク装置と称する）が出現してきている。モータ数が1つ減ることにより、光ディスク装置のより一層のコスト削減を実施することができる。
【００１１】
ここで、スレッドモータとは、ピックアップ１３を光ディスク６１の径方向に沿って移動させるモータであり、スレッドモータドライバを介してサーボ制御チップ６５により駆動制御される。また、ローディングモータは、光ディスク６１が載置されているディスクトレイを移動させるためのモータであり、ローディングモータドライバを介してコントロールマイコン７０により駆動制御される。これらスレッドモータとローディングモータを１個のモータで兼用し、ギアで切り換えてスレッドモータあるいはローディングモータとして使用することで、スピンドルモータ、スレッド兼ローディングモータの２つのモータにて構成する。
【発明の開示】
【発明が解決しようとする課題】
【００１２】
しかし、２モータ光ディスク装置の場合、ギアの切り換えが必要となるため、モータとスレッド間のギア数が増加し、スレッドモータ制御時において、ギア1つ1つの噛合いのガタが累積され、モータ1コギング（モータの構造に起因するギクシャクとした動き）当たりのスレッド移動数のばらつきが、３モータ光ディスク装置に比べて大きくなるという問題がある。このため、偏心ディスクを、上記スレッド移動数のばらつきを含めて再生させるためには、より一層、サーボゲインを上げる必要がある。
【００１３】
また、３モータ光ディスク装置では、スクラッチディスクと偏心ディスクの両方を再生可能となるゲインを設定することが可能であったが、２モータ光ディスク装置では、１点のゲイン設定にて両ディスクの再生能力の向上を図ることはできない。すなわち、スクラッチディスクの再生性能を向上させるためには、サーボゲインを下げる必要があるため、スレッド移動数のばらつきを含めて偏心ディスクの再生能力を向上させるためにサーボゲインをより一層上げると、スクラッチディスクの再生性能の向上が図れなくなり、両ディスクの再生能力の向上が図れるゲイン設定値を１点で賄うことはできなかった。
【００１４】
このように、コストダウンを目的とした２モータ光ディスク装置では、そのディスク再生能力が、３モータ光ディスク装置での再生能力に達することができず、結果として性能悪化となっていた。
【００１５】
本発明は、上記の問題点を解決するもので、振動検出用のB.P.Fを用いて偏心ディスクと偏心ディスク以外のディスクを判別し、偏心ディスクと判別した場合は、サーボゲインを高めに設定し、安価な２モータ光ディスク装置でも、３モータ光ディスク装置と同等の再生能力を達成することを目的としている。
【課題を解決するための手段】
【００１６】
本発明の偏心ディスク検出方法は、光ディスク装置において偏心ディスクを検出する方法であって、耐震検出用フィルタを用い、当該フィルタを光ディスクの偏心検出用周波数に設定して、光ディスクの偏心周波数を検知し、前記偏心周波数を検知した場合に、サーボフィルタの定数を偏心ディスク用に変更するものである。
【００１７】
前記光ディスクの偏心検出用周波数としては、例えば、光ディスクの回転数に合わせる。
【００１８】
本発明の偏心ディスク検出方法によると、再生する光ディスク毎に、耐震検出用フィルタのカットオフ周波数を偏心検出用周波数に変更し、当該光ディスクが偏心ディスクか否かを判別する。判別した結果、偏心ディスクであれば、サーボフィルタの定数（サーボゲイン）を偏心ディスク用のゲインに変更し、これまで、安価な２モータ光ディスク装置にて困難であったスクラッチディスクと偏心ディスクの再生能力の向上を両立させることができる。
【００１９】
また、本発明の偏心ディスク検出方法として、振動を検知するＦＥ信号もしくはＴＥ信号の振幅ゲインを調整し、光ディスクやピックアップによるばらつき差分を減らした状態で、耐震検出用フィルタを用い、当該フィルタを光ディスクの偏心検出用周波数に設定して、光ディスクの偏心周波数を検知し、前記偏心周波数を検知した場合に、サーボフィルタの定数を偏心ディスク用に変更してもよい。
【００２０】
さらに、本発明の偏心ディスク検出方法として、偏心周波数の検知をTOC読み込み時に実施し、規定回数以上偏心周波数の検知した場合に、サーボフィルタの定数を偏心ディスク用に変更するようにしてもよい。
【００２１】
具体的には、TOC読み込み時間を測定するとともに、TOC読み込みを実施している間に何回の偏心周波数を検知したかをカウントし、読み込み時間÷偏心周波数検知回数の式より、偏心周波数検知時の周波数を算出し、当該算出した周波数が、光ディスクの偏心周波数とほぼ同じ値をとる場合、サーボフィルタの定数を偏心ディスク用に変更する。
【００２２】
このように、読み込み時間÷偏心周波数検知回数の式より算出した周波数が、光ディスクの偏心周波数とほぼ同じ値をとる場合、サーボフィルタの定数を偏心ディスク用に変更することで、偏心以外のケースによって偏心ディスクと判断されるのを回避することができ、より正確に偏心ディスクの判別が行える。
【００２３】
本発明の光ディスク装置は、ディスクトレイにて保持した光ディスクを回転させるスピンドルモータと、回転している光ディスクのデータを記録及び／又は再生するピックアップと、前記ディスクトレイを光ディスク装置本体の内外にローディング／アンローディングさせるローディングモータと、光ディスクの径方向に沿って前記ピックアップを移動させるスレッドモータとを兼用するスレッド兼ローディングモータと、光ディスクの偏心周波数を検知する振動/偏心検出用B.P.Fと、サーボフィルタとからなるサーボ制御部と、前記サーボ制御部からの信号に基づき前記ピックアップを光ディスクの目標ポイントまで移動させるドライバと、これら各部を制御する制御部とを備えたものである。
【００２４】
このように構成された光ディスク装置によると、再生する光ディスク毎に、振動/偏心検出用B.P.Fのカットオフ周波数を偏心検出用周波数に変更し、当該光ディスクが偏心ディスクか否かを判別する。判別した結果、偏心ディスクであれば、サーボフィルタの定数（サーボゲイン）を偏心ディスク用のゲインに変更し、これまで、安価な２モータ光ディスク装置にて困難であったスクラッチディスクと偏心ディスクの再生能力の向上を両立させることができる。
【発明の効果】
【００２５】
本発明によると、偏心ディスクを確実に判別することにより、サーボゲインを偏心ディスク用に設定し、スレッド移動数のばらつきのある２モータ光ディスク装置において、３モータ光ディスク装置と同等の再生能力を実現し、コストダウンとディスク再生能力向上との両立を図ることができる。
【発明を実施するための最良の形態】
【００２６】
本発明の最良の実施形態について、図１ないし図４に基づいて説明する。
【００２７】
図１は光ディスク装置のブロック図、図２は振動/偏心検出用B.P.Fの特性図、図３は振動/偏心検出用の信号生成部を示す構造図、図４は偏心ディスク検出方法のフローチャートである。
【００２８】
図１において、１１は光ディスク、１２はスピンドルモータ、１３はピックアップ、１４はヘッドアンプ、１５はサーボ制御チップ、１６はサーボフィルタ、１７は振動/偏心検出用B.P.F、１８はＴＥ信号、１９はドライバ、２０はコントロールマイコンである。
【００２９】
スピンドルモータ１２は、光ディスク１１を回転させ、ピックアップ１３は、光ディスク１１からの信号を読み取り、ヘッドアンプ１４は、ピックアップ１３からの信号を増幅する。ＴＥ信号１８は、ヘッドアンプで生成されるピックアップの位置ずれ情報である。サーボ制御チップ１５は、ヘッドアンプ１４からのＴＥ信号１８によりサーボ制御の演算を実施する。サーボフィルタ１６は、サーボ制御チップ１５内でＴＥ信号１８をもとに、サーボの演算を実施する。振動偏心検出用B.P.F １７は、サーボ制御チップ１５内でＴＥ信号１８をもとに、振動/偏心検出を実施する。ドライバ１９は、サーボ制御チップ１５からの信号を増幅し、ピックアップ１３を光ディスク１１の目標ポイントまでドライブする。コントロールマイコン２０は、上記の各部を制御するものである。
【００３０】
図２は振動/偏心検出用B.P.Fの特性図である。
【００３１】
２１は振動検出用B.P.F特性カーブ、２２は振動検出用第１のカットオフ周波数、２３は振動検出用第２のカットオフ周波数、２４は偏心検出用B.P.F特性カーブ、２５は偏心検出用第１のカットオフ周波数、２６は偏心検出用第２のカットオフ周波数である。
【００３２】
図３は、振動/偏心検出用の信号生成部を示す構造図の一例である。
【００３３】
３１はＴＥ信号、３２はB.P.F、３３はレベル比較器、３４は閾値設定装置、３５はVDET出力装置、３６はオペアンプである。なお、VDETとはVibration Detectionの略であり、耐震検出を表す。すなわち、ＣＤセットに、振動が加えられたことを検出する信号をVDETと呼んでいる。
【００３４】
ここで示すように、光ディスク装置に振動が与えられた場合や、偏心ディスクを再生させた場合に、ほぼ決まった周波数でＴＥ信号３１に振れが生じる。一例を挙げると、振動時には、３０Hz〜２００Hz程度、偏心ディスク再生時には1倍速時には８Hz程度である。ここで、B.P.F３２の設定を、振動検出用第１のカットオフ周波数を３０Hz程度、振動検出用第２のカットオフ周波数を２００Hz程度に設定することにより、偏心は検出しないが、振動を検出する信号が、VDET出力装置３５より出力される。このときのB.P.F３２の特性図が、振動検出用B.P.F特性カーブ２１（図２）となる。また、B.P.F３２の設定を、偏心検出用第１のカットオフ周波数を８Hz程度、偏心検出用第２のカットオフ周波数を１０Hz程度に設定することにより、振動は検出しないが、偏心を検出する信号が、VDET出力装置３５より出力される。このときのB.P.Fの特性図が、偏心検出用B.P.F特性カーブ２４（図２）となる。
【００３５】
偏心ディスクを検出する場合、振動/偏心検出用B.P.F１７のカットオフ周波数を光ディスク１１の回転数に依存して決定する。例えば、通常の耐震検出用のB.P.Fカットオフ周波数は、３０Hz〜２００Hz程度である。これは、ディスク再生装置に対して、外部から振動等が与えられた場合、３０Hz〜２００Hzの揺れが加えられるためである。光ディスク１１が１倍速で回転している場合、光ディスク１１の内周部の回転速度はおよそ８Hz程度である。よって偏心ディスクを検出する際、振動/偏心検出用B.P.F１７のカットオフ周波数を８Hz近辺に設定することにより、より確実に、偏心検出を実施することができる。
【００３６】
図４は、偏心ディスク検出方法のフローチャートである。
【００３７】
偏心ディスクの検出を実施する場合、ディスク再生前に実施する必要がある。また、偏心ディスク検出を実施するためには、Fo（フォーカス）サーボ、Trサーボ、スピンドルサーボが正常に働き、１倍速、もしくは規定の回転数でディスクが回転している必要がある。すなわち、偏心ディスクの検出は、振動/偏心検出用B.P.F１７のカットオフ周波数にあらかじめ設定されている値によって実施されるため、例えば、１倍速では８Hzといった具合にあらかじめ設定されている値に合わせてディスクを回転させる必要がある。
【００３８】
また、偏心ディスクの検出を実施するために、新たなステップを増加させると、光ディスク１１の音だし時間を延ばす結果となってしまう。近年、光ディスク１１の音だし時間を、１００msでも早くするよう、顧客からの強い要望がある。そのため、偏心ディスク検出を実施することにより、自動調整を含む初期化動作実施時間が増加することは許されない。なお、自動調整とは、ＣＤセットにおけるばらつきを吸収し、セット間の性能ばらつきをなくすための調整である。従来は、ラインの人が調整していた内容を、LSIが自動で実施する。具体的には、アンプのオフセットを除いたり、ゲインのばらつきを抑えたりする。
【００３９】
初期化動作実施時間の増加を回避するため、TOC読み込み実施前に、B.P.F設定を耐震検出用から偏心検出用に変更し、TOC読み込み最中もしくは、TOC読み込み終了後に、VDET信号がＨとなるケースが発生していれば、再生中の光ディスク１１は偏心ディスクであると判別できる。すなわち、Trサーボ演算を実施している間、振動/偏心検出用B.P.F１７の設定を偏心検出用に設定し、VDET信号が検出された場合、現在再生中のディスクが偏心ディスクであると判断し、偏心ディスク用のゲインを高くしたサーボ定数を設定する。なお、TOCはTable of Contentの略であり、光ディスク内部の曲が、どこから始まるかの情報が記載されており、光ディスクを再生する際には、再生前に必ず、この部分の情報を取得する必要がある。
【００４０】
具体的な偏心ディスク検出の流れを図４を用いて説明すると、まずB.P.F設定が耐震検出用に設定されている（ステップ４１）。この状態で自動調整が実施される（ステップ４２）。次に、B.P.F設定を耐震検出用から偏心検出用に変更する（ステップ４３）。そして、TOC読み込みを行いながら、同時に偏心ディスクの検出を行う（ステップ４４）。B.P.Fが偏心検出用に設定されているため、ステップ４５にて、VDET出力装置３５から出力される偏心検出信号がＨの時、偏心ディスクであると判断し、ステップ４６へ進む。ステップ４６では、偏心ディスク用のゲインを高くしたサーボ定数が設定される。また、ステップ４５にて、偏心検出信号がＬの時、偏心ディスクではないと判断しステップ４７へ進み、ステップ４７にて通常ディスク用のサーボ定数が設定される。
【００４１】
このように構成された偏心ディスク検出方法および光ディスク装置によると、コントロールマイコン２０により、振動/偏心検出用B.P.F１７のカットオフ周波数を設定することにより、従来では困難であった偏心ディスクとその他のディスクの判別が可能となり、偏心ディスク検出時には、偏心ディスクに特化したサーボ定数を設定し、スレッド移動数のばらつきのある２モータ光ディスク装置において、３モータ光ディスク装置と同等のスクラッチディスクと偏心ディスクの再生能力の両立が図れ、コストダウンを図りながらディスク再生能力の向上を図ることができる。
【００４２】
また、TOC読み込み実施前に、B.P.F設定を耐震検出用から偏心検出用に変更するので、自動調整を含む初期化動作実施時間が増加せず、トータルの音だし時間を延長させることなく、偏心ディスクの判別が行える。
【００４３】
以下に、本実施形態の変形例を示す。
【００４４】
近年、CD-DA（Compact Disc Digital Audio:商標名）だけではなく、CD-R（Compact Disk Recordable:商標名）、または、高反射/低反射のCD-RW（Compact Disk ReWritable:商標名）など、様々な光ディスク１１が市場に出回っている。また、ピックアップ１３もメーカサイドからのローコストを達成するため、従来以上のばらつきを持ったピックアップ１３が出荷されている。これらの条件下においても、一定の再生能力を維持するため、近年のサーボ制御チップ１５において、ＦＥ/ＴＥ振幅を多段に調整できる機能を持ったものが出現している。なお、上記ＦＥはフォーカスエラー信号の略であり、具体的には、フォーカス方向におけるレーザスポットが、焦点をきっちり取れているか否かを現す、エラー信号である。
【００４５】
この機能を用いて、初期化動作実施中において、ＦＥ/ＴＥ振幅を測定し、測定結果より、一定のＦＥ/ＴＥ信号が出力されるよう、ヘッドアップ内部の多段階ゲインを調整し、サーボ制御チップ１５に、ほぼ一定の振幅を持ったＦＥ/ＴＥ信号を供給する機能を実装することができる。なお、この機能以外の構成は、図１ないし図４に示した例と同様とする。
【００４６】
すなわち、従来のヘッドアンプでは、ＦＥ信号、ＴＥ信号の振幅切り換えに関しては、数ステップの段数しかなく、具体的には、１倍もしくは、４倍のみの切り換えであった。例えば、CD-DAのときは１倍、CD-RWのときは４倍といった使い方をしていた。しかしながら、市場には色々なＦＥ/ＴＥ信号を持つ光ディスク、もしくはピックアップがある。そのため、数ステップの切り換えでは、十分な性能が確保できない状態になっている。ヘッドアンプ内の多段階ゲインとは、これを、制限なく、文字通り多段階に調整するものである。ＦＥ/ＴＥ信号の振幅が小さい場合は、ヘッドアンプ内のアンプゲインを大きく、ＦＥ/ＴＥ信号の振幅が大きい場合は、ヘッドアンプ内のアンプゲインを小さくすることにより、常時一定振幅のＦＥ/ＴＥ信号をサーボ制御チップ１５に供給することができる。
【００４７】
本発明は、ＴＥ信号振幅を、B.P.Fを通じて、閾値と比較することで実現させている。そのため、元となるＴＥ信号振幅が、ピックアップや光ディスクの反射率によってばらつくと、ある組み合わせでは正常に判別可能であるのに、ある組み合わせでは判別不可能な状態が発生する。このようなばらつきを防ぐためには、一定のＴＥ信号振幅を確保する必要がある。このばらつきを抑えるために、LSIがＦＥ/ＴＥ信号の振幅を測定し、測定した結果に応じて、ヘッドアンプ内部のＦＥ/ＴＥゲインを変更させ、常時一定のＦＥ/ＴＥ信号を作成する。すなわち、振動を検知するＦＥ信号もしくはＴＥ信号の振幅ゲインを調整することで、光ディスクやピックアップによるばらつき差分を減らしている。
【００４８】
サーボ制御チップ１５に、ほぼ一定の振幅を持ったＦＥ/ＴＥ信号を供給するという本機能を実装することによって、従来ではＴＥ信号の振幅がばらつき、偏心ディスクであるにもかかわらず、振幅が小さいために検出できなかった場合でも、振幅を一定に調整することにより上記誤検出を回避できる。これにより、精度よく、偏心ディスクとそれ以外のディスクを識別することができ、２モータ光ディスク装置において、３モータ光ディスク装置と同等のスクラッチディスクと偏心ディスクの再生能力の両立が図れ、コストダウンを図りながらディスク再生能力の向上を図ることができる。
【００４９】
以下に本実施形態の他の変形例を示す。
【００５０】
図５は、本変形例における偏心検出を実施している間のVDET信号を示した特性図である。
【００５１】
５１は、偏心を検出したときにＨとなるVDET信号、５２は偏心検出測定開始タイミング、５３は偏心検出測定終了タイミング、５４は偏心検出測定時間である。
【００５２】
１倍速で光ディスク１１が回転している場合、光ディスク１１の内周部の回転速度は約８Hzである。
【００５３】
偏心により、VDET信号が検出される場合には、光ディスク１１の回転数と同様の周波数にて検出される。これ以外の周波数でVDET信号が検出される場合は、光ディスク１１の偏心によるものではない。そのため、誤判断の確立をさらに下げるため、偏心検出の周波数を測定する必要がある。周波数を測定する方法として、偏心検出測定時間をコントロールマイコン２０でカウントしておき、その間、何発のVDET信号がＨとなったかを測定する。“偏心検出測定時間÷VDET信号の検出回数”を算出することにより、偏心検出を実施している間のVDET信号の検出周波数を算出することができる。算出したVDET信号の検出周波数と、光ディスク１１の回転数とを比較し、ほぼ同じ周波数であれば、光ディスク１１の偏心によるものであると判断することができる。
【００５４】
本変形例により、偏心以外のケースにてVDET信号がＨとなってしまったケースを回避することができ、より正確に偏心ディスクの判別が行える。
【産業上の利用可能性】
【００５５】
本発明の偏心ディスク検出方法および光ディスク装置は、従来不可能であった、２モータ光ディスク装置にてスクラッチディスクと偏心ディスクの再生能力を向上させるために有用である。
【図面の簡単な説明】
【００５６】
【図１】本発明の実施形態における光ディスク装置のブロック図
【図２】本発明の実施形態における振動/偏心検出用B.P.Fの特性図
【図３】本発明の実施形態における振動/偏心検出用の信号生成部を示す構造図
【図４】本発明の実施形態における偏心ディスク検出方法のフローチャート
【図５】本発明の変形例における偏心検出とVDET信号を示した特性図
【図６】従来の光ディスク装置のブロック図
【符号の説明】
【００５７】
１１  光ディスク
１２  スピンドルモータ
１３  ピックアップ
１４  ヘッドアンプ
１５  サーボ制御チップ（サーボ制御部）
１６  サーボフィルタ
１７  振動/偏心検出用B.P.F（耐震検出用フィルタ）
１８  ＴＥ信号
１９  ドライバ
２０  コントロールマイコン（制御部）
２１  振動検出用B.P.F特性カーブ
２２  振動検出用第１のカットオフ周波数
２３  振動検出用第２のカットオフ周波数
２４  偏心検出用B.P.F特性カーブ
２５  偏心検出用第１のカットオフ周波数
２６  偏心検出用第２のカットオフ周波数
３１  ＴＥ信号
３２  B.P.F
３３  レベル比較器
３４  閾値設定装置
３５  VDET出力装置
３６  オペアンプ
５１  VDET信号
５２  偏心検出測定開始
５３  偏心検出測定終了
５４  偏心検出測定時間
【図１】
2007073096.tif 000003
【図２】
2007073096.tif 000004
【図３】
2007073096.tif 000005
【図４】
2007073096.tif 000006
【図５】
2007073096.tif 000007
【図６】
2007073096.tif 000008